(57)【要約】【課題】外部の汚染源や衝撃からレンズを保護するために、レンズがハウジングの内外に出没するように構成された撮像機構を備えた携帯端末機を提供する。【解決手段】携帯端末機１００の一方側に装着されて、長さ方向に拡張された所定直径の通孔を有するハウジング４１０と、ハウジング４１０の軸方向に移動するように通孔に装着されて、その内部にレンズ４２３を有するカメラモジュール４２４を備えるカメラボディー４２０と、通孔の内部に位置して、ハウジング４１０の内外にレンズ４２３が選択的に出没されるようにカメラボディー４２０の移動を調節する出没調節手段５００と、を含んで撮像機構を備えた携帯端末機を構成する。【選択図】図１
2005057765.tif 000002
【特許請求の範囲】
【請求項１】
携帯端末機の一方側に装着されて、長さ方向に拡張された所定直径の通孔を有するハウジングと、
前記ハウジングの軸方向に移動するように前記通孔に装着されて、その内部にレンズを有するカメラモジュールを備えるカメラボディーと、
前記通孔の内部に位置して、前記ハウジングの内外に前記レンズが選択的に出没するように前記カメラボディーの移動を調節する出没調節手段と、を含んで構成されることを特徴とする撮像機構を備えた携帯端末機。
【請求項２】
前記出没調節手段は、
カメラボディーの周りに沿って固定装着されその一方側に鋸歯を有するカム本体と、
前記カム本体と回転自在に結合されて前記鋸歯と共に動くストッパーと、
前記ハウジングの通孔の内周面に装着されて、前記カメラボディーのレンズが前記ハウジングの内外部に位置するように前記ストッパーをガイドするガイドカムを備える案内部材と、
前記ハウジングの内部に装着されて、前記レンズが前記ハウジングの外部に突出する方向に前記ストッパーに力を加えるスプリングと、から構成されることを特徴とする請求項１記載の撮像機構を備えた携帯端末機。
【請求項３】
前記カム本体は、円筒状に形成されて、前記カメラボディーの内側突条の周りに沿って装着され、その一方側に形成された前記鋸歯は、三角形状であることを特徴とする請求項２記載の撮像機構を備えた携帯端末機。
【請求項４】
前記ストッパーは、円筒状に形成されて、その一部が前記カム本体に内挿され、一方端の縁にフランジ部が形成され、そのフランジ部の外周面に前記鋸歯と当接する少なくとも一つ以上の突出部が形成されて前記カム本体の鋸歯と共に回転することを特徴とする請求項２記載の撮像機構を備えた携帯端末機。
【請求項５】
前記突出部は、前記フランジ部の外周面に沿って所定間隔を有して複数個形成されることを特徴とする請求項４記載の撮像機構を備えた携帯端末機。
【請求項６】
前記突出部は、前記鋸歯の傾斜面に沿って移動するように、その一方端が楔状に形成されることを特徴とする請求項４記載の撮像機構を備えた携帯端末機。
【請求項７】
前記案内部材は、円筒状に形成されて、その軸方向に前記ストッパーが移動するように、内部に通孔を有することを特徴とする請求項２記載の撮像機構を備えた携帯端末機。
【請求項８】
前記案内部材は、前記ハウジングの通孔の内周に前記ハウジングと一体に形成されることを特徴とする請求項２記載の撮像機構を備えた携帯端末機。
【請求項９】
前記ガイドカムは、
前記案内部材の周りに沿って形成され、前記ストッパーの突出部を前記案内部材の軸方向にガイドする複数個のガイド溝と、
前記カメラボディーのレンズが前記ハウジングの外部に位置するとき、前記ストッパーの突出部が安着するように、前記複数個のガイド溝の内側端にそれぞれ形成された第１安着部と、
前記複数個のガイド溝の間に位置して、前記レンズが前記ハウジングの内部に位置するとき、前記ストッパーの突出部が安着する第２安着部を有し、前記ストッパーの突出部を前記ガイド溝に案内するか、または前記第２安着部に案内する複数個のカム部と、から構成されることを特徴とする請求項２記載の撮像機構を備えた携帯端末機。
【請求項１０】
前記複数個のガイド溝は、前記案内部材の軸方向に所定間隔を有して形成されることを特徴とする請求項９記載の撮像機構を備えた携帯端末機。
【請求項１１】
前記複数個のカム部は、それぞれ所定方向の傾斜面を有する一対の鋸歯を有し、それら一対の鋸歯の間には、前記第２安着部になる溝を有することを特徴とする請求項９記載の撮像機構を備えた携帯端末機。
【請求項１２】
前記一対の鋸歯の傾斜面は、
前記ガイド溝の一方側面から延長形成されて、前記ストッパーの突出部を前記ガイド溝に案内する外側傾斜面と、
前記第２安着部になる前記一対の鋸歯の間の溝から延長形成されて、前記ストッパーの突出部を前記第２安着部になる溝に案内する内側傾斜面と、から構成されることを特徴とする請求項１１記載の撮像機構を備えた携帯端末機。
【発明の詳細な説明】
【技術分野】
【０００１】
本発明は、携帯端末機に係るもので、詳しくは、外部の汚染源や衝撃からレンズを保護するために、レンズがハウジングの内外に出没するように構成された撮像機構を備えた携帯端末機に関するものである。
【背景技術】
【０００２】
図９は撮像機構を備えた従来の携帯端末機を示した斜視図である。図に示すように、従来の携帯端末機１は、メインＰＣＢと情報入力ユニット１１などが備わった本体１０と、ディスプレイユニット２１が備わったホルダー部２０と、本体１０とホルダー部２０とを回動自在に連結するヒンジ部３０と、ヒンジ部３０の一方側に装着された撮像機構４０と、を含んで構成されている。このような携帯端末装置のヒンジ部にカメラを装着した開示例としては特許文献１がある。
【０００３】
本体１０とホルダー部２０はＦＰＣＢ（Ｆｌｅｘｉｂｌｅ  Ｐｒｉｎｔｅｄ  Ｃｉｒｃｕｉｔ  Ｂｏａｒｄ）により電気的に連結され、本体１０と撮像機構４０もＦＰＣＢにより電気的に連結される。
ヒンジ部３０は、本体１０と一体に形成された第１ヒンジスロット（ａｘｉａｌ  ｓｌｏｔ）３１と、それと所定間隔を有して形成された第２ヒンジスロット３３と、ホルダー部２０と一体に形成されて、第１及び第２ヒンジスロット３１、３３の間に同一軸上に装着された第３ヒンジスロット３５と、各ヒンジスロット３１、３３、３５を貫通して挿入されたヒンジピン（図示せず）と、から構成される。
このようなヒンジ構造によって、ホルダー部２０は、本体１０に対して図面の回動軸（ａ−ａ）を中心に回動する。
【０００４】
回動軸（ａ−ａ）と同一軸上に、ヒンジ部３０の一方側に装着された撮像機構４０は、レンズ４１を含むカメラモジュール（図示せず）と、カメラモジュールが内蔵されたカメラハウジング４３と、を含む。カメラハウジング４３の一方側にはレンズホール４５が形成されており、レンズホール４５を通してレンズ４１が露出し、カメラハウジング４３とその内部に装着されたカメラモジュールとが一体に動く。
【０００５】
また、カメラモジュールの一方側には、本体１０の内部のメインＰＣＢを連結する連結部（図示せず）が備わる。連結部は、第１ヒンジスロット３１を貫通して装着され、連結部とメインＰＣＢとはＦＰＣＢを通して連結される。即ち、ＦＰＣＢの一方端はメインＰＣＢに連結され、他方端はカメラモジュールの連結部に巻かれた状態で連結される。
そして、カメラモジュールの外側端には、撮影時にレンズ４１の角度を調節する取っ手４７が形成される。
【０００６】
このように構成された従来の撮像機構を備えた携帯端末機の動作、特に撮像機構の動作は、次のように単純である。
使用者が携帯端末機１の撮像機構４０を使用して撮影する場合、取っ手４７を利用して撮影しようとする被写体のある方向にカメラハウジング４３を回動し、ディスプレイユニット２１に現れる映像を見ながら写真撮影をする、という具合である。
【０００７】
【特許文献１】特開２００４−１２９１５１号公報
【発明の開示】
【発明が解決しようとする課題】
【０００８】
しかしながら、このような従来の携帯端末機においては、ヒンジ部の一方側に装着された撮像機構のレンズが常に外部に露出するため、外部の埃によるレンズの汚染が発生することで、撮影された映像の画質が低下するという問題があった。
また、外部の衝撃により、露出したレンズの表面が損傷しやすいため、レンズが永久的に損傷する懸念があるという問題があった。
また、被写体を探すために撮像機構を回転させるとき、本体及びホルダー部によるデッドゾーン（ｄｅａｄ  ｚｏｎｅ）が発生するため、回転角度が制限されることで、カメラモジュールの装着におけるデザインの制約を受けるという問題があった。
【０００９】
本発明は、このような従来の撮像機構を備えた携帯端末機における問題に鑑みてなされたもので、本発明の目的は、外部の汚染源や衝撃からレンズを保護するために、レンズがハウジングの内外に出没するように構成された撮像機構を備えた携帯端末機を提供することにある。
【課題を解決するための手段】
【００１０】
このような目的を達成するため、本発明に係る撮像機構を備えた携帯端末機は、携帯端末機の一方側に装着されて、長さ方向に拡張された所定直径の通孔を有するハウジングと、前記ハウジングの軸方向に移動するように前記通孔に装着されて、その内部にレンズを有するカメラモジュールを備えるカメラボディーと、前記通孔の内部に位置して、前記ハウジングの内外に前記レンズが出没するように前記カメラボディーの移動を調節する出没調節手段（ｐｒｏｔｒａｃｔｉｏｎ／ｒｅｔｒａｃｔｉｏｎ  ｒｅｇｕｌａｔｉｎｇ  ｍｅａｎｓ）と、を含んで構成されることを特徴とする。
【発明の効果】
【００１１】
本発明に係る撮像機構を備えた携帯端末機を利用して撮影をする場合、レンズを選択的にカメラハウジングの内／外部に安着させることができ、カメラレンズの汚染と毀損を防止できる。
また、被写体を探すために撮像機構を回転させるとき、本体及びホルダー部によるデッドゾーンがないため、回転角度に制限を受けることなく、より便利に撮影できる。
また、カメラボディーを軸方向に押すことで、より簡便にレンズを突出させるか、またはカメラハウジングの内部に安着させることができ、使用者に利便性と使用満足感を与える効果が期待できる。
【発明を実施するための最良の形態】
【００１２】
以下、本発明の実施の形態について、図面を参照して説明する。
図１は本発明の一実施形態による撮像機構を備えた携帯端末機を示した斜視図で、図２は本発明の一実施形態による撮像機構を示した分解斜視図で、図３は本発明の一実施形態による撮像機構のレンズがハウジングの内部に安着した状態を示した部分切開斜視図で、図４は本発明の一実施形態による撮像機構のレンズがハウジングの外部に露出した状態を示した部分切開斜視図である。
【００１３】
図に示すように、本発明の一実施形態による携帯端末機１００は、メインＰＣＢと情報入力ユニット１２０などが備わった本体１１０と、ディスプレイユニット２１０が備わったホルダー部２００と、本体１１０とホルダー部２００とを回動自在に連結するヒンジ部３００と、ヒンジ部３００の一方側に装着された撮像機構４００と、を含んで構成されている。
【００１４】
本体１１０とホルダー部２００はＦＰＣＢにより電気的に連結され、本体１１０と撮像機構４００もＦＰＣＢにより電気的に連結される。
ヒンジ部３００は、本体１１０と一体に形成された第１ヒンジスロット３１０と、それと所定間隔を有して形成された第２ヒンジスロット３３０と、ホルダー部２００と一体に形成されて、第１及び第２ヒンジスロット３１０、３３０の間に同一軸上に装着された第３ヒンジスロット３５０と、各ヒンジスロット３１０、３３０、３５０を貫通して挿入されたヒンジピン（図示せず）と、から構成される。
このようなヒンジ構造によって、ホルダー部２００は、本体１１０に対して図面の回動軸（ｂ−ｂ）を中心に回動する。
【００１５】
以下、本発明に係る携帯端末機の撮像機構４００を説明する。
撮像機構４００は、図に示すように、携帯端末機１００の一方側に装着されて（本実施形態では、回動軸（ｂ−ｂ）と同一軸上に、ヒンジ部３００の一方側に装着）、長さ方向に拡張された所定直径の通孔を有するハウジング４１０と、ハウジング４１０の軸方向に移動するように通孔に装着されて、その内部にレンズ４２３を有するカメラモジュール４２４を備えるカメラボディー４２０と、通孔の内部に位置して、ハウジング４１０の内外にレンズ４２３が選択的に出没するようにカメラボディー４２０の移動を調節する出没調節手段５００と、から構成される。そして、カメラボディー４２０の外側端には、撮影時にレンズ４２３の角度を調節する取っ手４２６が形成される。
出没調節手段５００によって撮影をしない場合は、通常、レンズ４２３がハウジング４１０の内部に安着され、その反対に、撮影をする場合は、レンズ４２３がハウジング４１０の外部に突出される。
【００１６】
この出没調節手段５００は、カメラボディー４２０の周りに沿って固定装着されその一方側に鋸歯４４１を有するカム本体４４０と、カム本体４４０と回転自在に結合されて鋸歯４４１と共に動くストッパー４５０と、ハウジング４１０の通孔の内周面に装着されて、カメラボディー４２０のレンズ４２３がハウジング４１０の内外部に位置するようにストッパー４５０をガイドするガイドカム４６５を備える案内部材４６０と、ハウジング４１０の内部に装着されて、レンズ４２３がハウジング４１０の外部に突出される方向にストッパー４５０に力を加えるスプリング４７０と、から構成される。
【００１７】
次に、出没調節手段５００の構成を説明する。
カム本体４４０は、円筒状に形成されており、カメラボディー４２０の内側突条の周りに沿って装着され、その一方端に形成された鋸歯４４１は三角形状に複数個形成される。
また、カム本体４４０の軸方向にストッパー４５０の一部がカム本体４４０に回転自在に内挿されて、カメラボディー４２０の軸方向の移動を制御する。
【００１８】
ストッパー４５０は、通常、円筒状に形成されており、その一方端の縁にはフランジ部４５１が形成され、フランジ部４５１の外周面には、カム本体４４０の鋸歯４４１と当接する少なくとも一つ以上の突出部４５２が形成されて、カム本体４４０の鋸歯４４１と共に回転する。
各実施形態によってストッパー４５０の形状を多様に変形することができ、円筒状に限定されることはない。また、突出部４５２は、少なくとも一つ以上形成されることが好ましく、複数個形成される場合、フランジ部４５１の外周面に沿って所定間隔を有して形成されることが好ましい。また、突出部４５２は、別途に製作されてストッパー４５０に装着することができ、その他に多様に変形することもできる。
突出部４５２は、カム本体４４０の鋸歯４４１の傾斜面４４１ａ、４４１ｂと溝４４１ｃに沿って移動するように、その一方端が楔状に形成される。
【００１９】
案内部材４６０は、円筒状に形成されており、ストッパー４５０が案内部材４６０の軸方向に移動するように、内部にハウジング４１０の軸方向に形成された通孔を有する。案内部材４６０は、ハウジング４１０の通孔の内周にハウジング４１０と一体に形成することもできる。
【００２０】
案内部材４６０のガイドカム４６５は、案内部材４６０の周りに沿ってストッパー４５０の突出部４５２を案内部材４６０の軸方向にガイドする複数個のガイド溝４６１と、カメラボディー４２０のレンズ４２３がハウジング４１０の外部に位置するとき、ストッパー４５０の突出部４５２が安着するように、複数個のガイド溝４６１の内側端にそれぞれ形成された第１安着部４６２と、複数個のガイド溝４６１の間に位置して、レンズ４２３がハウジング４１０の内部に位置するとき、ストッパー４５０の突出部４５２が安着する第２安着部４６３ａを有し、ストッパー４５０の突出部４５２をガイド溝４６１に案内するか、または第２安着部４６３ａに案内する複数個のカム部４６３と、から構成されている。
複数個のガイド溝４６１は、軸方向と平行に所定間隔を有して形成されているが、これに限定されることなく、突出部４５２が軸方向にガイドされる限り、螺旋状に形成することもでき、実施形態によって多様な変形が可能である。
【００２１】
複数個のカム部４６３は、複数個のガイド溝４６１の間に残っている案内部材４６０の一方端に形成される。
複数個のカム部４６３は、それぞれ所定方向の傾斜面を有する一対の鋸歯を有し、鋸歯の間に形成された溝は、レンズ４２３がハウジング４１０の内部に位置するとき、ストッパー４５０の突出部４５２が安着される第２安着部４６３ａとなる。
【００２２】
また、一対の鋸歯に形成された傾斜面は、ガイド溝４６１の一方側面から延長形成されて、ストッパー４５０の突出部４５２をガイド溝４６１に案内する外側傾斜面４６３ｂと、ストッパー４５０の突出部４５２を第２安着部４６３ａに案内する内側傾斜面４６３ｃと、から構成される。
また、ハウジング４１０の内側には、ストッパー４５０をハウジング４１０の外部に押し出すように軸方向の力を加えるスプリング４７０が装着される。
スプリング４７０の一方端は、ストッパー４５０のフランジ部４５１の一方端と密着接触し、他方端は、ハウジング４１０の内側に形成された突条部４１２にスプリング４７０が圧縮されるように密着接触する。
【００２３】
図５乃至図８は、出没調節手段の各構成要素相互間の有機的な動作状態を示している。
以下、出没調節手段の各構成要素の相互作用関係を説明する。
図に示すように、ストッパー４５０の突出部４５２がガイド溝４６１内でスプリング４７０を圧縮する方向に移動する場合、突出部４５２がガイド溝４６１の両側壁により支持されるため、ストッパー４５０は、カム本体４４０に対して円周方向の相対移動をしない。即ち、突出部４５２の一方端の傾斜面４５２ａは、ガイド溝４６１に位置するカム本体４４０の鋸歯４４１の傾斜面４４１ａ（以下、第１傾斜面という）の一部と当接して、ガイド溝４６１の両側壁に沿って軸方向に移動する。
そして、突出部４５２がガイド溝４６１に沿って移動する途中、ガイド溝４６１から脱した場合、第１傾斜面４４１ａに沿って移動して鋸歯４４１の溝４４１ｃに移動する。このとき、カム本体４４０がスプリング４７０の復原力により軸方向に移動することで、突出部４５２は、カム部４６３の内側傾斜面４６３ｃにガイドされ、結局、カム部の溝である第２安着部４６３ａに安着する。
【００２４】
また、突出部４５２が第２安着部４６３ａに安着したとき、カム本体４４０がスプリング４７０に圧縮力を加えながら軸方向に移動する場合、突出部４５２は、第２安着部４６３ａから延長された内側垂直壁４６３ｄに沿って移動する。その後、内側垂直壁４６３ｄから脱する場合、突出部４５２の傾斜面４５２ａは、第２安着部４６３ａで当接したカム本体４４０の鋸歯４４１の傾斜面４４１ｂ（以下、第２傾斜面という）に沿って鋸歯４４１の溝４４１ｃに移動する。このとき、カム本体４４０がスプリング４７０の復原力により軸方向に移動することで、突出部４５２は、カム部４６３の外側傾斜面４６３ｂにガイドされ、結局、ガイド溝４６１に沿って軸方向に移動しながら第１安着部４６２に安着される。
【００２５】
次に、このように構成された本発明の一実施形態による撮像機構を備えた携帯端末機の動作を説明する。特に、上述の構成を有する本発明の撮像機構の動作に対して説明する。
使用者が撮像機構を使用して撮影するとき、ハウジング４１０の外部に露出したカメラボディー４２０の一方側を押す。このとき、カム本体４４０は、スプリング４７０を圧縮しながらハウジング４１０の軸方向に移動し、第２安着部４６３ａでカム本体４４０の鋸歯４４１の第２傾斜面４４１ｂと当接しているストッパー４５０の突出部４５２は、案内部材４６０のカム部４６３の垂直内壁４６３ｄに沿って移動する。突出部４５２が垂直内壁４６３ｄから脱すると、ストッパー４５０の突出部４５２は、第２傾斜面４４１ｂに沿って鋸歯４４１の溝４４１ｃに移動する。このとき、使用者は、カメラボディー４２０の一方側に加えた垂直力を解く。すると、スプリング４７０がストッパー４５０に加える復原力によって、突出部４５２は、カム部４６３の外側傾斜面４６３ｂに沿ってガイド溝４６１に移動し、結局、突出部４５２は、ガイド溝４６１の第１安着部４６２に安着する。このとき、カメラボディー４２０のレンズ４２３は、ハウジング４１０の外部に突出する。そして、使用者は、カメラボディー４２０の一方側に形成された取っ手４２６を把持し、被写体にレンズ４２３を合せるようにカメラボディー４２０を回動し、ホルダー部２００のディスプレイユニット２１０を通して現れる映像を見ながら撮影をする。
【００２６】
撮影を終えた後、レンズ４２３をハウジング４１０の内部に復帰させるとき、使用者は、再びハウジング４１０の外部に露出したカメラボディー４２０の一方側を押す。このとき、スプリング４７０に圧縮力が加えられ、カム本体４４０は、ハウジング４１０の内側方向に移動する。そして、ストッパー４５０の突出部４５２は、第１安着部４６２で鋸歯４４１の第１傾斜面４４１ａと当接した状態で、ガイド溝４６１に沿ってハウジング４１０の軸方向に移動する。突出部４５２がガイド溝４６１から脱すると、突出部４５２は、第１傾斜面４４１ａに沿って鋸歯４４１の溝４４１ｃに移動する。このとき、使用者は、カメラボディー４２０一方側に加えた垂直力を解く。すると、スプリング４７０がストッパー４５０に加える復原力によって、突出部４５２は、カム部４６３の内側傾斜面４６３ｃに沿って第２安着部４６３ａに移動し、結局、突出部４５２は、カム部４６３の第２安着部４５３ａに安着する。このとき、カメラボディー４２０のレンズ４２３は、ハウジング４１０の内部に安全に位置する。
【００２７】
尚、本発明は、上述の実施形態に限られるものではない。本発明の技術的範囲から逸脱しない範囲内で多様に変更実施することが可能である。
【図面の簡単な説明】
【００２８】
【図１】本発明の一実施形態による撮像機構を備えた携帯端末機を示した斜視図である。
【図２】本発明の一実施形態による撮像機構を示した分解斜視図である。
【図３】本発明の一実施形態による撮像機構のレンズがハウジングの内部に安着した状態を示した部分切開斜視図である。
【図４】本発明の一実施形態による撮像機構のレンズがハウジングの外部に露出した状態を示した部分切開斜視図である。
【図５】本発明の一実施形態による撮像機構のレンズをハウジングの外部に露出させる出没調節手段の動作状態を示した部分透視側面図（その１）である。
【図６】本発明の一実施形態による撮像機構のレンズをハウジングの外部に露出させる出没調節手段の動作状態を示した部分透視側面図（その２）である。
【図７】本発明の一実施形態による撮像機構のレンズをハウジングの内部に安着させる出没調節手段の動作状態を示した部分透視側面図である。
【図８】本発明の一実施形態による撮像機構のレンズをハウジングの内部に安着させる出没調節手段の主要部を示した斜視図である。
【図９】従来の撮像機構を備えた携帯端末機を示した斜視図である。
【符号の説明】
【００２９】
１００    携帯端末機
１１０    本体
１２０    情報入力ユニット
２００    ホルダー部
２１０    ディスプレイユニット
３００    ヒンジ部
３１０    第１ヒンジスロット
３３０    第２ヒンジスロット
３５０    第３ヒンジスロット
４００    撮像機構
４１０    ハウジング
４１２    突条部
４２０    カメラボディー
４２３    レンズ
４２４    カメラモジュール
４２６    取っ手
４４０    カム本体
４４１    鋸歯
４５０    ストッパー
４５１    フランジ部
４５２    突出部
４６０    案内部材
４６１    ガイド溝
４６２    第１安着部
４６３    カム部
４６５    ガイドカム
４７０    スプリング
５００    出没調節手段
【図１】
2005057765.tif 000003
【図２】
2005057765.tif 000004
【図３】
2005057765.tif 000005
【図４】
2005057765.tif 000006
【図５】
2005057765.tif 000007
【図６】
2005057765.tif 000008
【図７】
2005057765.tif 000009
【図８】
2005057765.tif 000010
【図９】
2005057765.tif 000011